(57)【要約】【課題】その課題は、写真フィルムの処理状態を簡単に確認可能とするプリント処理システムを提供すること、さらには、現像・スキャン処理を連続して実行する処理態様において、フィルムの進行状況を確認して割り込みでスキャン処理可能か否かを判断できるプリント処理システムを提供することである。【解決手段】フィルムプロセッサＦＰと、フィルムスキャナーＦＳと、搬送ユニットＦＣとを備えたフィルム処理装置ＦＡと、写真プリントを作成するプリント作成装置ＰＡとを具備するプリント処理システム１であって、フィルム処理装置ＦＡの状態を検出する状態検出手段１７ｆと、フィルム処理装置ＦＡの状態を表示する状態表示手段２００ａと、写真フィルムを検出するフィルム検出手段と、写真フィルムの位置を算出するフィルム位置算出手段１７ｇと、写真フィルムの位置を表示するフィルム位置表示手段２００ｂとを具備する。【選択図】図６
2007199625.tif 000002
【特許請求の範囲】
【請求項１】
未現像写真フィルムの現像処理を行なうフィルムプロセッサと、このフィルムプロセッサにより処理された現像済み写真フィルムのコマ画像をデジタル画像データとして取得するためのフィルムスキャナーと、フィルムプロセッサから排出される現像済み写真フィルムをフィルムスキャナーへ搬送するための搬送ユニットとを備えたフィルム処理装置と、
前記取得された画像データに基づいて写真プリントを作成するプリント作成装置とを具備するプリント処理システムであって、
前記フィルム処理装置の状態を検出する状態検出手段と、
前記状態検出手段の検出結果に基づいて、フィルム処理装置の状態を表示する状態表示手段と、
前記写真フィルムを検出するフィルム検出手段と、
前記フィルム検出手段の検出結果に基づいて、写真フィルムの位置を算出するフィルム位置算出手段と、
前記フィルム位置算出手段で算出された写真フィルムの位置を表示するフィルム位置表示手段と、
を具備するプリント処理システム。
【請求項２】
前記フィルム位置表示手段は、写真フィルムの位置を表示する場合に、少なくとも写真フィルムの識別情報を表示することを特徴とする請求項１に記載のプリント処理システム。
【請求項３】
写真フィルムが現位置から前記フィルムスキャナーに搬送されるまでの搬送時間を算出する搬送時間算出手段をさらに備え、
前記フィルム位置表示手段は、写真フィルムの位置を表示する場合に、前記搬送時間を表示することを特徴とする請求項１又は請求項２に記載のプリント処理システム。
【請求項４】
前記搬送時間が所定値以上であるか否かを判断する判断手段をさらに備え、
前記判断結果が、搬送時間が所定値以上である場合に、前記フィルム位置表示手段は、別の現像済み写真フィルムのスキャン処理が可能である旨を表示する
ことを特徴とする請求項１に記載のプリント処理システム。
【請求項５】
前記フィルム位置表示手段は、写真フィルムの位置を表示する場合に、当該写真フィルムが処理される処理モードを表示することを特徴とする請求項１から請求項４のいずれか１項に記載のプリント処理システム。
【請求項６】
前記フィルム位置表示手段は、写真フィルムの位置を表示する場合に、当該写真フィルムの種類ごとに識別可能に表示することを特徴とする請求項１から請求項５のいずれか１項に記載のプリント処理システム。
【請求項７】
前記写真フィルムの種類ごとの識別は、図形、色、又は文字フォントをフィルム種類ごとに変更することで識別できることを特徴とする請求項６に記載のプリント処理システム。
【発明の詳細な説明】
【技術分野】
【０００１】
本発明は、未現像写真フィルムの現像処理を行なうフィルムプロセッサと、このフィルムプロセッサにより処理された現像済み写真フィルムのコマ画像をデジタル画像データとして取得するためのフィルムスキャナーと、フィルムプロセッサから排出される現像済み写真フィルムをフィルムスキャナーへ搬送するための搬送ユニットとを備えたフィルム処理装置を具備するプリント処理システムに関するものである。
【背景技術】
【０００２】
未現像写真フィルムの現像処理を行なうフィルムプロセッサと、現像済み写真フィルムのコマ画像をデジタル画像データとして取得するためのフィルムスキャナーとを結合して一体化したシステムとしては、下記特許文献１に開示される写真感光材料処理装置が公知である。フィルムプロセッサにおいて写真フィルムの現像処理を行う場合には、写真フィルムの先端にフィルムリーダと呼ばれる案内部材を取り付け、写真フィルムはこのフィルムリーダによりフィルムプロセッサ内の各部を移動する。写真フィルムの現像処理及び乾燥処理が終了すると、写真フィルムはフィルムプロセッサから排出されて搬送ユニットへ送り込まれ、まず写真フィルムとフィルムリーダを分離するために写真フィルムの先端部をカットする。フィルムリーダは所定の場所に回収され、現像済み写真フィルムはフィルムスキャナーに引き続き搬送されて、各コマ画像のスキャニングが行われる。
【０００３】
上記のフィルムスキャナーでの各コマ画像のスキャンニングは、２度行われる。すなわち、１度目のスキャンニングは、各コマ画像を含むフィルム全体の画像を低解像度で読み取ることであり、通常、プレスキャンと称される。このプレスキャンでコマ画像数が演算される。次いで、２度目のスキャンニングは、プレスキャン画像から切り出された各コマ画像が高解像度で読み取られ、通常、本スキャンニングと称される。
【０００４】
上記装置とこれに接続されるプリント作成装置からなるシステムにおいて、未現像写真フィルムの現像処理からプリント作成までを自動で処理することが可能である。すなわち、上記装置で現像処理、スキャン処理を連続して行い、スキャン処理で読み取られた画像データをプリント作成装置に送信する。プリント作成装置では、オペレータによる個々のコマ画像ごとの画像判定処理（赤め補正、ガンマ補正処理、プリントサイズ設定、プリント枚数等の設定）を省いて、予め設定された画像処理のみを実行して印画紙に露光して写真プリントを作成する。これにより、フィルム挿入から写真プリントまでを連続して自動で処理することができる。この処理方法を自動同時プリントと称する。
【０００５】
【特許文献１】特開平１１−２３４４７６号公報
【発明の開示】
【発明が解決しようとする課題】
【０００６】
上記自動同時プリント処理において、オペレータは、プリント作成装置側の入力操作で、「オーダ情報（例えば、「オーダ識別情報、プリントサイズ等）を入力する。そして、入力した「オーダ情報に対応する未現像写真フィルムをフィルム処理装置にセットする。そして、未現像写真フィルムの搬送が開始され（ローディング開始）、現像処理、スキャン処理が連続してなされ、スキャン処理されて得られた画像データがプリント作成装置に送信され、この画像データに基づいて写真プリントが作成される。かかる場合に、「オーダ情報入力し、フィルムセット後に、オペレータは、通常、プリント作成装置の付近に待機して、排出されてくる写真プリントを確認している。
【０００７】
そして、次の未現像写真フィルムをプリント処理したい場合に、オペレータはフィルム処理装置側の操作画面で、未現像写真フィルムをセットしてよいか否かを確認する必要がある。すなわち、オペレータは、作成されてくる写真プリントの排出確認をプリント作成装置側で行い、次の未現像写真プリントをセットできるか否かの確認をフィルム処理装置側で行う必要があり、大変煩雑な操作内容となっており改善が望まれていた。さらに、未現像写真フィルムのセット可能か否かの確認のみならず、現像処理、スキャン処理中におけるエラー等が発生した場合にもフィルム処理装置側で確認する必要があった。
【０００８】
また、フィルム処理装置は、フィルムプロセッサー（現像処理機能）と、フィルムスキャナー（画像データ取得機能）を具備しており、自動同時プリント処理において現像・スキャン処理を連続して行うことができる一方、現像処理とスキャン処理を別々に実行できるように制御できる。この処理モードを通常モードと称する。なお、現像処理とスキャン処理を自動的に連続して行うモードを予約モードと称する（自動同時プリント処理では、フィルム処理装置は、予約モードで実行されることになる）。この予約モードで処理されている際に、別の写真フィルムのスキャン処理を行いたい場合（例えば焼き増しプリント処理でのスキャン処理等）がある。しかし、予約モードの途中で、別のフィルムのスキャン処理を実行することができないため、予約モードを終了させることが必要であった。
【０００９】
例えば、現像処理開始直後あるいは現像処理中であって、スキャン処理されるまでに十分に余裕時間があり、所望の写真フィルムのスキャン処理が可能な場合もあると考えられる。このような場合に、従来は、フィルムプロセッサー側の操作画面で現像処理中か否かを確認することができたが、写真フィルムが現像処理のどの工程で実行されているかを正確に確認することはできなかった。そのため、強制的に予約モードでの処理を中断する必要があった。
【００１０】
そして、予約モードを中断した場合に、通常モード設定することで、別の現像済み写真フィルムのスキャン処理を行っていた。そして、上記予約モード処理を中断した際に現像処理中の写真フィルムは、フィルムスキャナーに自動搬送されず、フィルム処理装置のフィルムストッカーに収納されていた。
【００１１】
本発明は上記実情に鑑みてなされたものであり、その課題は、写真フィルムの処理状態を簡単に確認可能とするプリント処理システムを提供すること、さらには、現像・スキャン処理を連続して実行する処理態様において、フィルムの進行状況を確認して割り込みでスキャン処理可能か否かを判断できるプリント処理システムを提供することである。
【課題を解決するための手段】
【００１２】
上記課題を解決するため本発明に係るプリント処理システムは、
未現像写真フィルムの現像処理を行なうフィルムプロセッサと、このフィルムプロセッサにより処理された現像済み写真フィルムのコマ画像をデジタル画像データとして取得するためのフィルムスキャナーと、フィルムプロセッサから排出される現像済み写真フィルムをフィルムスキャナーへ搬送するための搬送ユニットとを備えたフィルム処理装置と、
前記取得された画像データに基づいて写真プリントを作成するプリント作成装置とを具備するプリント処理システムであって、
前記フィルム処理装置の状態を検出する状態検出手段と、
前記状態検出手段の検出結果に基づいて、フィルム処理装置の状態を表示する状態表示手段と、
前記写真フィルムを検出するフィルム検出手段と、
前記フィルム検出手段の検出結果に基づいて、写真フィルムの位置を算出するフィルム位置算出手段と、
前記フィルム位置算出手段で算出された写真フィルムの位置を表示するフィルム位置表示手段と、
を具備することを特徴とする。
【００１３】
上記構成の作用効果を以下にしめす。すなわち、フィルム処理装置は、未現像写真フィルムの現像処理を行なうフィルムプロセッサと、このフィルムプロセッサにより処理された現像済み写真フィルムのコマ画像をデジタル画像データとして取得するためのフィルムスキャナーと、フィルムプロセッサから排出される現像済み写真フィルムをフィルムスキャナーへ搬送するための搬送ユニットとを備える。ここで、フィルムプロセッサから排出される現像済み写真フィルムは、通常、所定の間隔で排出される。「所定の間隔」は、例えば、現像処理される写真フィルムのインターバル時間である。このインターバル時間は、現像処理とスキャン処理が自動的に行われるように、例えば、フィルム長さ、スキャン解像度、スキャン処理時間、フィルム搬送時間等に基づいて算出される。
【００１４】
そして、フィルムスキャナーで読み取られた画像データは、プリント作成装置に送信され、かかる画像データに基づいて写真プリントが作成される。
【００１５】
「オーダ作成装置は、「オーダ情報を管理しており、操作画面上で、入力された「オーダごとにオーダ情報を確認できるように構成されている。そして、状態検出手段が、フィルム処理装置の状態を検出し、この検出結果に基づいて、状態表示手段が、フィルム処理装置の状態を操作画面上に表示するように構成される。「オーダ情報」は、例えば、「オーダ識別番号、プリントサイズ、プリント枚数、顧客ＩＤ等の情報である。「フィルム処理装置の状態」は、フィルム処理装置の処理状態を意味し、例えば、フィルムプロセッサでの未現像写真フィルムセット可能状態・セット済み状態、ローディング開始状態、現像処理状態（さらに細分化して、発色現像液処理状態、漂白処理状態、定着液処理状態、安定液処理状態、乾燥処理状態等）、フィルムスキャナーへの搬送中の状態、プレスキャン状態、本スキャン状態、フィルムストッカー収納状態、エラー状態等がある。
【００１６】
また、フィルム検出手段が写真フィルムを検出し、この検出結果に基づいて、フィルム位置算出手段が写真フィルムの位置を算出する。そして、フィルム位置表示手段が、フィルム位置算出手段で算出された写真フィルムの位置を操作画面上に表示するように構成される。フィルム検出手段は、フィルム処理装置内のフィルム搬送経路に配置された少なくとも１つ以上の光学式の１対のセンサを有して構成することが好ましい。フィルム位置算出手段は、フィルム検出結果に基づいて、フィルムの位置を検出できる。例えば、フィルム検出手段がローディング開始を検出した場合、それ以降の搬送経路上のフィルム位置は、搬送速度に基づいて算出できる。そして、フィルム位置表示手段は、算出されたフィルム位置に基づいて、プリント作成装置の操作画面にフィルム位置を表示する。
【００１７】
この構成によれば、フィルムの位置をプリント作成装置側の操作画面上で確認できるので、オペレータが、フィルム処理装置側とプリント作成装置側との両方の操作画面を確認する必要がなくなり、大幅に操作性が向上する。
【００１８】
また、本発明においてフィルム位置表示手段は、写真フィルムの位置を表示する場合に、少なくとも写真フィルムの識別情報を表示することは好ましい。この構成によれば、オーダ上で、フィルムの位置を確認できるとともに、どのオーダのフィルムがどの位置で処理されているかの確認を視覚的に行えるので、オペレータが、オーダの進行状況を正確に把握できる。
【００１９】
また、本発明において、写真フィルムが現位置からフィルムスキャナーに搬送されるまでの搬送時間を算出する搬送時間算出手段を備え、フィルム位置表示手段は、写真フィルムの位置を表示する場合に、写真フィルムが現位置からフィルムスキャナーに搬送されるまでの搬送時間を表示することは好ましい。この構成によれば、現像処理中のフィルムが、スキャナーに搬送されるまでの搬送時間をしることができるので、スキャン処理開始までの余裕時間を知ることができる。よって、オペレータは、余裕時間が長い場合に、他の作業を行なえる。または、余裕時間が長い場合に、別の現像済み写真フィルムのスキャン処理を実行することができ、予約モードにおける作業効率を向上することができる。
【００２０】
また、本発明において、搬送時間が所定値以上であるか否かを判断する判断手段をさらに備え、判断結果が、搬送時間が所定値以上である場合に、フィルム位置表示手段は、別の現像済み写真フィルムのスキャン処理が可能である旨を表示することは好ましい実施形態である。「所定値」は、別の現像済み写真フィルムのスキャン処理が行える十分な時間であり、スキャナーの処理能力、オペレータの操作時間に基づいて設定される。
【００２１】
この構成によれば、予約モード処理中に、別の現像済み写真フィルムのスキャン処理を実行できるか否かの判断を行えるので、オペレータが、進行中のフィルム位置から判断する作業を軽減できる。
【００２２】
また、本発明において、フィルム位置表示手段は、写真フィルムの位置を表示する場合に、当該写真フィルムが処理される処理モードを表示することは好ましい。この構成によれば、「オーダごとの処理モードの確認をプリント作成装置の操作画面上で行うことができる。
【００２３】
また、本発明において、フィルム位置表示手段は、写真フィルムの位置を表示する場合に、当該写真フィルムの種類ごとに識別可能に表示することが好ましい。写真フィルムの種類ごとの識別としては、図形、色、又は文字フォントを「オーダごとに変更することがさらに好ましい。この構成によれば、写真フィルムの種類（ＡＳＰ、１３５ｍｍフィルム、２３５ｍｍフィルム、白黒フィルム等）に応じて識別表示することができるのでオペレータが確認作業をより迅速に行うことができる。
【発明を実施するための最良の形態】
【００２４】
本発明に係るフィルム処理装置の好適な実施形態を図面を用いて説明する。図１は、フィルムプロセッサＦＰとフィルムスキャナーＦＳで構成されるフィルム処理装置ＦＡと、プリント作成装置ＰＡを有するプリント処理システム１全体の外観構成を示す図である。なお、プリント処理システム１は、その他の装置（例えば、注文者用受付端末、記録媒体への書き込み・読み取り装置、インターネット受け付け可能なＰＣ端末等）を有するものであってもよい。
【００２５】
＜システムの全体構成＞
図１において、フィルム処理装置ＦＡは、未現像写真フィルムの現像処理を行なうフィルムプロセッサＦＰと、このフィルムプロセッサＦＰにより現像処理された現像済み写真フィルムのコマ画像を光電変換によりデジタルの画像データとして取得するためのフィルムスキャナーＦＳとを上下位置に配置する。そして、フィルム処理装置ＦＡは、フィルムプロセッサＦＰの排出部から排出された現像済み写真フィルムをフィルムスキャナーＦＳの供給部へ搬送するための搬送ユニットＦＣを備えている。
【００２６】
このフィルム処理装置ＦＡは、通信回線を介してプリント作成装置ＰＡに接続される。プリント作成装置ＰＡは、通信機能、「オーダ管理・制御機能、画像処理機能、プリント作成機能を有し、コンピュータ、ディスプレイ等の表示手段、キーボード、マウス等のインターフェースとを備えている。この構成によりフィルム処理装置ＦＡで取得した画像データは、通信回線を介してプリント作成装置ＰＡに伝送され、このプリント作成装置ＰＡにより印画紙等のプリント媒体に画像がプリントされる。「オーダ管理・制御は、画像データを「オーダ単位で管理し、プリント作成の順序を設定できるように構成される。
【００２７】
なお、プリント作成装置ＰＡは銀塩式の印画紙を使用するものに限定されず、インクジェット型、昇華型のプリント作成装置を用いてもよい。
【００２８】
本発明において、フィルムプロセッサＦＰにより現像処理される前の写真フィルム（コマ画像が潜像状態のもの）を特に未現像写真フィルムと称し、フィルムプロセッサＦＰにより現像処理された後の写真フィルム（コマ画像が顕在化したもの）を特に現像済み写真フィルムと称することがある。
【００２９】
＜フィルムプロセッサ＞
フィルムプロセッサＦＰは、図１、２に示すように、プロセッサ本体の前部にフィルム挿入部１１を配置し、プロセッサ本体内部に現像処理部１２、乾燥処理部１３とを備え、プロセッサ本体の後部に排出部１４を配置し、フィルム挿入部１１から排出部１４にわたって搬送機構１５を形成している。プロセッサ本体の前部位置には各種情報を表示する液晶ディスプレイ１６ａと複数の操作ボタン１６ｂを有したコントロールパネル１６を備え、プロセッサ本体内部にフィルムプロセッサＦＰ全体の制御を実現する制御ユニット１７を備える。プロセッサ本体の上面には、排出部１４から送りだされる現像済写真フィルムを受け止めるフィルムストッカー１８が形成されている。
【００３０】
フィルム挿入部１１には、開閉自在な蓋体１１ａを備え、フィルムカートリッジＣａ（もしくはパトローネ）に収容されたロール状の未現像写真フィルムをセットし、搬送機構１５に受け渡す作動系（フィルム駆動機構１１ｅ）と、写真フィルムの後端を切断する切断ユニット１１ｂを備える。
【００３１】
また、写真フィルムの長さの情報を得るために、搬送機構１５によって搬送される写真フィルムの先端及び後端の通過を検出するローディングセンサー１１ｃ（フィルム検出手段に相当する）を備える。ローディングセンサー１１ｃは、例えば、一対の光学式センサ（受光式、投光式）、反射型センサ、レーザセンサー、その他の近接センサ、イメージセンサー等で構成できるが、一対の光学式センサー（受光式、投光式）が好ましい。このローディングセンサー１１ｃは、フィルム先端位置（もしくはフィルムリーダの先端位置）とフィルム後端位置を検出することができる。これら検出された先端位置と後端位置情報に基づいて、写真フィルムの長さ情報を演算することができる。
【００３２】
ＡＰＳフィルムの現像処理の場合、カートリッジＣａから引き出した写真フィルムの先端にフィルムリーダＬを取り付け、蓋体１１ａを開放して、このフィルムリーダＬが先行するようにフィルム挿入部１１にカートリッジＣａをセットする。写真フィルムＦとフィルムリーダＬとを接続した状態を図３に示す。フィルムリーダＬは、樹脂製のフィルムと同程度の柔軟性を持つシート状部材であり、写真フィルムＦよりも大きな幅寸法を有する。フィルムリーダＬには、多数のパーフォレーションＬａが形成されており、このパーフォレーションＬａと噛み合うスプロケットにより、写真フィルムＦはフィルムプロセッサＦＰ内を搬送される。かかるパーフォレーションＬａを設けることで、フィルムプロセッサＦＰ内をすべりが生じることなく確実に写真フィルムを案内することができる。
【００３３】
パーフォレーションＬａは、好ましくは、図示のようにフィルムリーダＬの幅方向の片側端部（図３（ｂ）参照）に形成されるが、両側端部に形成されていてもよい。写真フィルムＦとフィルムリーダＬとの連結は、図３（ａ）に示すように、フィルムリーダＬに形成された係合突起を写真フィルムＦに形成された孔に挿入することで連結してもよいし、図３（ｂ）に示すように、粘着テープＴにより写真フィルムＦの先端部とフィルムリーダＬとを連結してもよい。使用されるフィルムリーダＬの形状・大きさは予め決まっている。また、フィルムリーダＬと写真フィルムＦの連結は治具を用いて行なうため、フィルムリーダＬに対する写真フィルムＦの連結位置（貼り付け位置）も予め決まっている。
【００３４】
フィルムリーダＬ付きの写真フィルムＦをセットして、蓋体１１ａを閉じた後、コントロールパネル１６の所定の操作ボタン１６ｂを操作することで制御ユニット１７の制御によってフィルム搬送（ローディング）が開始され、現像処理部１２での現像処理と、乾燥処理部１３での乾燥処理の後に排出部１４からフィルムリーダＬを先頭にして写真フィルムが排出される。この場合、カートリッジ検出手段１１ｄがカートリッジＣａを検出して、次いで、蓋体１１ａを閉じると、ローディングが開始され、写真フィルムＦが搬送開始される。
【００３５】
制御ユニット１７は、ローディングを開始するようにフィルムプロセッサＦＰの各要素を制御する。フィルム駆動機構１１ｅが、フィルムリーダＬ及び写真フィルムＦを圧着ローラで狭持しながら現像処理部１２まで搬送し、ローディングセンサー１１ｃが搬送されてきたフィルムリーダＬ及び写真フィルムの先端を検出すると、現像処理部１２及び乾燥処理部１３の搬送機構部１５が駆動され、フィルムリーダＬ及び写真フィルムを圧着ローラで挟持して、現像処理部側に搬送する。ここで、フィルム駆動機構１１ｅと搬送機構１５は、別駆動で動作する。なお、フィルムプロセッサＦＰでの「ローディング」とは、フィルムカートリッジＣａから写真フィルムがフィルム駆動機構１１ｅによって引き出され、現像処理部１２に搬送される動作を意味する。
【００３６】
現像処理部１２は、発色現像槽、漂白槽、定着槽、安定槽を有し、現像処理部１２内部において搬送機構１５は、フィルムリーダＬ及び写真フィルムを搬送するためフィルムリーダＬのスプロケットＬａと係合する複数のスプロケット機構と圧着ローラ機構１５ａを備えている。また、乾燥処理部１３は、現像処理部１２から搬送されてきた写真フィルムを乾燥するブロワ１３ａを備える。同様に、乾燥処理部１３にも上記スプロケット機構と圧着ローラ機構が備えられている。搬送機構１５は、スプロケット機構と圧着ローラ機構１５ａと、これらを電動モータ（不図示）で同期駆動する駆動系を備えている。
【００３７】
排出部１４には、現像済み写真フィルムをフィルムプロセッサＦＰから排出するための排出ローラ１５ｂが設けられている。排出ローラ１５ｂにより排出された写真フィルムは、搬送ユニットＦＣに受け渡されフィルムスキャナーＦＳへと搬送されることになる。
【００３８】
フィルムスキャナーＦＳは、図１，２に示すように、スキャナー本体の下部にフィルムキャリア２１を配置し、このフィルムキャリア２１の下側に光源ユニット２２を、フィルムキャリア２１の上側にズームレンズ２３と光電変換ユニット２４とを配置している。スキャナー本体の内部にスキャナー制御部２５（制御ユニット）を配置している。フィルムスキャナーＦＳは、フィルムプロセッサＦＰに固定されており、排出部１４の排出ブロック上部位置に配置されている。
【００３９】
フィルムキャリア２１は、フィルムプロセッサＦＰの前部と同じ方向に現像済写真フィルムの供給部２１ａを形成し、この供給部２１ａからフィルムを後部側に搬送しながらスキャニングを行えるように構成される。なお、フィルムキャリア２１に写真フィルムを送り出す前に、搬送ユニットＦＣにおいて写真フィルムからフィルムリーダＬを切り離す処理がなされる。また、フィルムキャリア２１は、搬送ローラ２１ｂを駆動する搬送モータ（不図示）を備える。
【００４０】
光源ユニット２２は、Ｒ（赤）、Ｇ（緑）、Ｂ（青）の３原色の発光ダイオード（不図示）を有し、ズームレンズ２３は、焦点距離の調節によって、写真フィルムのコマの情報を設定された拡大率で光電変換ユニット２４の光電変換面に結像させる。この光電変換ユニット２４は、Ｒ（赤）、Ｇ（緑）、Ｂ（青）の３原色に対応してＣＣＤ等の光電変換素子でなる３つのラインセンサ（不図示）を備える。
【００４１】
＜搬送ユニットの構成＞
次に、フィルムプロセッサＦＰから排出された現像済み写真フィルムをフィルムスキャナーＦＳへ搬送するための搬送ユニットＦＣの構成を図４により説明する。図４に示すように、フィルムプロセッサＦＰの排出部１４には、排出ローラ１５ｂが設けられている。
【００４２】
搬送ユニットＦＣは、フレームに固定された搬送ブロックＢと、所定の軸芯周りに回転可能に取り付けられたチャッカーＣとを備えている。搬送ブロックＢの下側のブロック部の上流側端部には、フィルムガイド３０が設けられており、軸芯３０ａ周りに回転可能に軸支されている。フィルムガイド３０は、搬送すべき写真フィルムの幅寸法に対応したガイド部を備えており、図４に示す第１位置と想像線で示す第２位置との間をガイド切替ソレノイド３１によりいずれかの位置に切り替えられる。第１位置にセットされているときは、写真フィルムをフィルムスキャナーＦＳの方向に導くことができる。第２位置にセットしているときは、写真フィルムはフィルムストッカー１８に排出される。
【００４３】
搬送経路に沿って、上流側の搬送ローラ対３２ａと下流側の搬送ローラ対３２ｂとからなるローラ搬送機構３２が設けられている。各搬送ローラ対３２ａ，３２ｂは、駆動ローラと圧着ローラにより構成され、第１駆動モータＭ１により同期駆動される。下流側の搬送ローラ対３２ｂの上流側近傍に第１フィルムセンサー３３とリーダセンサー３４が設けられている。これらのセンサは、発光素子と受光素子からなる光センサであり、写真フィルムやフィルムリーダがセンサ位置を通過すると、透光状態から遮光状態に切り換わることで検出を行なう。第１フィルムセンサー３３とリーダセンサー３４は、図４の紙面に直交する方向から見ると同じ位置に配置されているが、幅方向において異なる位置に配置されており、写真フィルムとフィルムリーダを別々に検出することができる。
【００４４】
下流側搬送ローラ対３２ｂの更に下流側には、写真フィルムとフィルムリーダを切り離すためのカッター３５が設けられており、カットモータ３６により駆動される。カットされたフィルムリーダはリーダーストッカー１９に回収される。カッター３５のすぐ下流側には、第２フィルムセンサー３７が設けられており、フィルムリーダの先端や写真フィルムの先端を検出する。第２フィルムセンサー３７も第１フィルムセンサー３３と同様の光センサで構成することができる。
【００４５】
チャッカーＣはフィルムリーダが切り離された写真フィルムの先端部を挟持ローラ対４０により挟持し、フィルムスキャナーＦＳの供給部２１ａへと搬送する。チャッカーＣは、チャッカー駆動モータにより軸芯４１回りに回転可能に設けられている。チャッカーＣは、図４に示すような写真フィルムを受け取る受け取り位置と、写真フィルムをフィルムスキャナーＦＳに受け渡し可能な受け渡し位置の間を回転可能であり、更に、ループボックス５０内にループを形成するためにループ形成位置において中間停止することができる。
【００４６】
搬送ユニットＦＣの右側の空間はループボックス５０であり、写真フィルムがループを形成するための空間部が形成されている。搬送ユニットＦＣの上部には、第１ガイド部６０と第２ガイド部６１が設けられており、夫々写真フィルムを搬送するための搬送経路６０ａ，６１ａが形成されている。チャッカーＣが受け渡し位置に回転してきたときは、第２ガイド部６１は経路外に退避するように移動し、第１ガイド部６０の搬送経路６０ａに写真フィルムが受け渡される。
【００４７】
ループボックス５０の上方には第１排出経路５１と第２排出経路５２が設けられている。フィルムスキャナーＦＳによるコマ画像の読み取りが終了した写真フィルムは、第１ガイド部６０と第２ガイド部６１を逆方向に搬送され、第１排出経路５１へと導かれる。第１排出経路５１の終端はフィルムストッカー１８へと連結されており、スキャニングを終了した写真フィルムはフィルムストッカー１８に回収される。
【００４８】
フィルムプロセッサＦＰにより現像処理された写真フィルムは、予約モード処理の場合に、搬送ユニットＦＣを介して自動的にフィルムスキャナーＦＳに送り込まれる。一方、通常モード処理では、手動でフィルムスキャナーＦＳに写真フィルムを供給することができる。この場合は、第１ガイド部６０と第２ガイド部６１を開いて、手動で写真フィルムを供給部２１ａから供給する。例えば、焼き増しプリントの依頼で写真フィルムの現像処理を行わない場合は、手動で写真フィルムをフィルムスキャナーＦＳに供給する。手動で挿入された写真フィルムは、第２排出経路５２から排出されるように構成されている。
【００４９】
フィルムスキャナーＦＳには、搬送経路に沿って搬送ローラ２１ｂが配置されており、その途中に読み取り用の開口部２１ｃが設けられる。この開口部２１ｃの位置に読み取り光軸ＳＬが設定される。供給部２１ａには、ローディングセンサー２６が設けられており、写真フィルムの先端が搬送されてきたことを検出する。この検出に基づいて、各搬送ローラ２１ｂを回転させるための駆動モータを駆動する。また、ローディングセンサー２６とは別にレディセンサー２７が設けられており、このレディセンサー２７による検出タイミングを基準として、写真フィルムの画像スキャニング開始が制御される。
【００５０】
＜フィルム処理装置の制御ブロック構成＞
次に、図５の制御ブロック図によりフィルム処理装置ＦＡの制御機能について説明する。まず、フィルムプロセッサＦＰの制御ユニット１７の主要な機能を説明する。フィルム端部検出部１７ａは、ローディングセンサー１１ｃによる検出信号に基づいて、写真フィルム（フィルムリーダ）の先端位置及び後端位置を検出する。検出された先端位置情報に基づいて、写真フィルムの位置がプリント作成装置ＰＡの操作画面に表示されるように、先端位置情報がプリント作成装置ＰＡに送信される。具体的表示方法については後述する。
【００５１】
フィルム長さ演算部１７ｂは、フィルム端部検出部１７ａにより検出された先端位置と後端位置の情報に基づいて、写真フィルムの長さを演算する。実際にローディングセンサー１１ｃにより検出されるのはフィルムリーダの先端であるが、フィルムリーダの大きさは予め分かっているため、その分を差し引くことで写真フィルムの長さを演算することができる。通信制御部１７ｃは、搬送ユニットＦＣやフィルムスキャナーＦＳとの通信を行う機能を有する。
【００５２】
フィルム位置演算部１７ｄは、写真フィルムの先端位置情報に基づいて、現像済み写真フィルムが搬送ユニットＦＣ内に送り込まれてくるタイミングを演算する。具体的には、排出ローラ１５ｂから所定距離の位置に写真フィルム先端が到達したことを検出する。カウント部１７ｅは、ローディングセンサー１１ｃにより先端が検出された時点から予め設定された所定時間をカウントする。所定時間をカウント終了した時点で、写真フィルムの先端が排出ローラ１５ｂから所定距離の位置に到達していることになる。なお、時間をカウントするのではなく、搬送機構１５による搬送量をカウントするように構成してもよい。
【００５３】
状態検出手段１７ｆは、フィルム処理装置ＦＡの状態を検出する。「フィルム処理装置ＦＡの状態」は、フィルム処理装置ＦＡの処理状態を意味し、例えば、フィルムプロセッサＦＰでの未現像写真フィルムセット可能状態・セット済み状態、ローディング開始状態、現像処理状態（さらに細分化して、発色現像液処理状態、漂白処理状態、定着液処理状態、安定液処理状態、乾燥処理状態等）、フィルムスキャナーＦＳへの搬送中の状態、プレスキャン状態、本スキャン状態、フィルムストッカー収納状態、エラー状態等がある。未現像写真フィルムセット可能状態・セット済み状態は、カートリッジ検出手段１１ｄがカートリッジＣａ（またはパトレーネ）を検出したか否かで判断できる。ローディング開始状態は、ローディングセンサー１１ｃがフィルム先端位置（もしくはフィルムリーダの先端位置）を検出したことで判断できる。現像処理状態は、フィルムプロセッサＦＰ内のフィルムの位置に基づいて判断できる。フィルムスキャナーＦＳへの搬送中の状態は、搬送ユニットＦＣに搬送状態であるか否かで判断できる。プレスキャン状態は、プレスキャン実行信号の検出によって判断できる。本スキャン状態は、本スキャン実行信号の検出によって判断できる。プレスキャン実行信号、本スキャン実行信号は、スキャナー制御部２５によって送信される。フィルムストッカー収納状態は、搬送ユニットにＦＣで自動搬送されずに、フィルムストッカー１８に収納されたか否かで判断できる。また、スキャン処理後にフィルムストッカー１８に排出された状態も、同様に、フィルムストッカー１８に収納されたか否かで判断できる。エラー状態は、フィルム詰まり、フィルムスリップ、処理液交換等があり、従来公知の検出方法によってエラー状態を検出できる。
【００５４】
状態検出手段１７ｆによって検出された、フィルム処理装置ＦＡの状態は、プリント作成装置ＰＡに送信され、その操作画面上にフィルム処理装置ＦＡの状態が状態表示手段２００ａによって表示される（後述）。なお、状態検出手段１７ｆは、フィルム処理装置ＦＡの各制御ユニットの一機能としてもたせてもよいが、プリント作成装置ＰＡの機能としてもたせてもよい。
【００５５】
フィルム位置算出手段１７ｇは、フィルム端部検出部１７ａで検出されたフィルム先端に基づいてフィルムの位置を算出できる。または、フィルム位置算出手段１７ｇは、ローディングセンサー１１ｃで検出されたフィルム先端に基づいてフィルムの位置を算出できる。フィルム端部検出部１７ａ及びローディングセンサー１１ｃは、フィルム検出手段の機能を有する。フィルム先端が検出された時刻からのカウント時間と搬送速度から移動距離が算出される。この移動距離からフィルム位置が算出できる（フィルム位置演算部１７ａと同様の機能を有している）。なお、搬送速度は予め定められた値である。また、フィルム位置算出手段１７ｇは、後述の搬送量演算部７１で得られた搬送量に基づいて搬送ユニットＦＣ上でのフィルム先頭の位置を算出できる。また、ローディングセンサー２６の検出結果により写真フィルムの先端がフィルムスキャナーＦＳにセットされたことが判断できる。
【００５６】
フィルム位置算出手段１７ｇによって算出された、フィルム先端位置の情報はプリント作成装置ＰＡに送信され、その操作画面上にフィルム先端位置が、フィルム位置表示手段２００ｂによって表示される（後述）。なお、フィルム位置算出手段１７ｇは、フィルム処理装置ＦＡの制御ユニットの一機能としてもたせてもよいが、プリント作成装置ＰＡの機能としてもたせてもよい。
【００５７】
搬送制御部７０は、搬送ユニットＦＣ内を搬送される写真フィルムの搬送・停止を含む駆動制御を統括的に行なう。また、フィルムプロセッサＦＰの制御ユニット１７及びフィルムスキャナーＦＳのスキャナー制御部２５との通信を行なう。写真フィルムの位置情報や長さ情報は、制御ユニット１７からの通信によりデータを受信することができる。
【００５８】
搬送量演算部７１は、写真フィルムの搬送量を演算する。搬送ユニットＦＣにおいて写真フィルムの搬送・停止の制御を行うためには、写真フィルムの搬送量を監視することが必要である。搬送量の演算は、各モータ（パルスモータ）を駆動するために供給される駆動パルスの数や、搬送ローラに連動して回転するエンコーダからの信号に基づいて、搬送量を演算することができる。あるいはタイマーによる時間カウントを行なって搬送量を演算してもよい。また、搬送量演算部７１は第１フィルム長さカウント部７１ａと第２フィルム長さカウント部７１ｂの機能を備えており、搬送される写真フィルムの長さをカウントする機能を有する。
【００５９】
搬送制御部７０は、ガイド切替ソレノイド３１、第１駆動モータＭ１、第２駆動モータＭ２、第３駆動モータＭ３、チャッカーモータＣＭ、カットモータ３６に対する駆動制御を行なう。第１駆動モータＭ１は、ローラ搬送機構３２を駆動し、第２駆動モータＭ２と第３駆動モータＭ３はチャッカーＣの挟持ローラ対４０を駆動する。チャッカーＣ自身には駆動源は搭載されておらず、チャッカーＣが受け取り位置にあるときは、第２駆動モータＭ２と挟持ローラ対４０とが機械的に連結し、チャッカーＣが受け渡し位置にあるときは、第３駆動モータＭ３と挟持ローラ対４０とが機械的に連結可能に構成されている。第２駆動モータＭ２と第３駆動モータＭ３は、搬送ユニットＦＣのフレームに対して固定されている。
【００６０】
第１・第２フィルムセンサー３３，３７については既に説明した通り、写真フィルム（フィルムリーダ）の先端・後端の検出を行なう。ホームリミットスイッチ３５ａは、カッター３５がホーム位置にあるか否かを検出する。ホームリミットスイッチ３５ａは機械的にカッター３５を検出するものであるが、光センサなど他のタイプのセンサを用いてもよい。
【００６１】
ホームセンサー３８は、チャッカーＣが受け取り位置（ホーム位置）にいることを検出するためのセンサである。ガイド検出センサ６２は、第１ガイド部６０が閉じているか否かを検出するためのセンサである。第１ガイド部６０が閉じているときに、チャッカーＣにより写真フィルムをフィルムスキャナーＦＳに受け渡すことができる。以上の各センサ信号は、搬送制御部７０に送信され、これらの検出結果に基づいて、ソレノイドやモータの駆動制御が行なわれる。
【００６２】
＜プリント作成装置の機能ブロック構成＞
図６を用いて、プリント作成装置ＰＡの機能について説明する。
【００６３】
入力手段１００は、画像データの注文に関する情報である「オーダ情報の入力を受け付ける。例えば、モニター７に表示される操作画面（ＧＵＩ）を参照しながら、キーボード、マウス等の入力操作部８を操作して、「オーダ情報が入力されるように機能する。「オーダ情報入力の際には、自動同時プリント処理モード、予約モード又は通常モード等を選択入力できる。
【００６４】
制御手段２００は、自動同時プリント処理モードが設定されている場合に、自動同時プリント処理が実行できるように、プリント作成装置ＰＡの各要素を制御し、フィルム処理装置ＦＡの各制御ユニットに自動同時プリント処理モードの指令を行う。
【００６５】
制御手段２００の処理手順は、通常、ソフトウェアで構成され、かかるソフトウェアは、不図示のＣＰＵ、メモリ等のハードウェア資源と協働して動作するものであるが、専用回路、ファームウエア等を組み合わせて構成してもよい。当該ソフトウエアプログラムは、ＲＯＭ等のメモリに予め格納されている。
【００６６】
状態表示手段２００ａは、モニター７の操作画面上で、フィルム処理装置ＦＡから送信されたフィルム処理装置ＦＡの状態を表示するように制御される。
【００６７】
フィルム位置表示手段２００ｂは、フィルム位置算出手段１７ｇで算出された写真フィルムの位置をモニター７の操作画面上で表示する。また、フィルム位置表示手段２００ｂは、写真フィルムの位置を表示する場合に、少なくとも写真フィルムの識別情報を表示することができる。また、フィルム位置表示手段２００ｂは、写真フィルムの位置を表示する場合に、当該写真フィルムが処理される処理モードを表示することができる。フィルム位置表示手段２００ｂは、写真フィルムの位置を表示する場合に、当該写真フィルムの種類ごとに識別可能に表示することができる。この写真フィルムの種類ごとの識別方法としては、図形、色、又は文字フォントを、個々のフィルム毎に変更することが、視覚的認識の観点から好ましい。
【００６８】
搬送時間算出手段２００ｄは、写真フィルムが現位置からフィルムスキャナーＦＳに搬送されるまでの搬送時間を算出する。そして、フィルム位置表示手段２００ｂは、写真フィルムの位置を表示する場合に、その搬送時間を表示することができる。なお、搬送時間算出手段２００ｄの機能をフィルム処理装置ＦＡ側にもたせてもよい。
【００６９】
判断手段２００ｃは、搬送時間算出手段２００ｄで算出された搬送時間が所定値以上か否かを判断することで、別の現像済み写真フィルムをスキャン処理可能か否かを判断する。そして、この判断手段２００ｃの判断結果が搬送時間が所定値以上である場合に、フィルム位置表示手段２００ｂは、別の現像済み写真フィルムをスキャン処理可能である旨を表示することができる。なお、判断手段２００ｃの機能をフィルム処理装置ＦＡ側にもたせてもよい。
【００７０】
画像判定部４は、フィルム処理装置ＦＡから取得した画像データに対する判定をオペレータが行なうための機能を提供し、かかる機能は主としてソフトウェアにより提供される。これは、画像データに基づいて写真プリントを作成する前に、適切な画質の写真プリントが作成されるか否かを判定するものであり、かかる作業をプレジャッジと称することとする。画像判定部４には、補正データの設定機能、プリントデータの設定機能、サムネイル画像の設定機能が主たる機能として設けられている。なお、プレジャッジは必ず行なわなければならないものではなく、プレジャッジを省略してプリント処理を行うことも可能である。自動同時プリント処理モードでは、プレジャッジが行われないように構成される。なお、以下において、オーダーデータとは、１「オーダに含まれる画像データ群と、プレジャッジにより設定された補正データ、プリントサイズ、プリント枚数などのプリントデータ、「オーダを特定するデータ（「オーダ識別ＩＤ、顧客の氏名、住所、会員ＩＤなどのデータ）により構成される。「オーダ情報は、プリントデータの一部を構成する。
【００７１】
「オーダ制御部５は、プリント処理すべき画像データを「オーダ単位に管理する機能を提供する。「オーダ登録部５ａは、画像判定部４によりプレジャッジの終了したオーダーデータを記憶装置６に登録・保存する機能を有する。記憶装置６は概念的に、スプーラ６ａと呼ばれる部分と、その他の記憶部６ｂとで構成される。プリント処理すべきオーダーデータは、すべてスプーラ６ａに保存される。従って、スプーラ６ａにオーダーデータを保存することで「オーダの管理を行なうことができ、プリント処理の順番や割り込みなどの制御を行なうことができる。スプーラ６ａと、記憶部６ｂは、いずれもハードディスクのような大容量記憶装置により構成することができるが、スプーラ６ａと記憶部６ｂは、ハードウェア的に別々のハードディスクにより構成してもよいし、１つのハードディスクの記憶領域を分割して、スプーラ６ａとして機能する領域と、それ以外の領域を形成してもよい。
【００７２】
プリント処理制御部５ｂは、プリント処理指令を後述する画像処理基板９に送信する。そして、この指令に従って、画像処理基板９は、オーダーデータに基づいて、画像処理を行う。
【００７３】
モニター７は、「オーダ情報の入力操作画面表示以外に、その他の例えば、プレジャッジを行なうための画面や「オーダ管理画面等を表示させるものであり、プリント処理等を行うために必要な画面を提供する。入力操作部８は、キーボードやマウス等により構成され、「オーダ情報入力、プリント処理に必要なデータ入力や設定、各種指令を行うために用いられる。
【００７４】
画像処理基板９は、スプーラ６ａから画像データと補正データを受け取り、補正データに基づいて画像データに対する画像処理を行い、写真プリントを作成するために用いられるプリント用画像データを生成する。画像処理基板９は、受信メモリ、処理回路部、展開メモリにより構成され、処理回路部において指定された画像処理が行なわれる。具体的には、補正データに基づく色・濃度の補正、設定されたプリントサイズに従ったデータの拡縮処理などである。自動同時プリントでは、予め設定された補正内容の画像処理が実行される。
【００７５】
次に、図６に示すプリント処理部の構成を簡単に説明する。ペーパーマガジン１０１には、写真感光材料（印画紙ともいう）であるペーパーがロール状に収容されている。ペーパーマガジン１０１は、２台を設置することができ、例えば、ペーパー幅の異なるペーパーを予めセットしておくことができる。ペーパーカッターは、ペーパーマガジン１０１から引き出された長尺状のペーパーを設定されたプリントサイズになるように切断する。
【００７６】
露光エンジン１０２ａは、画像処理基板９の展開メモリから送信されてくるプリント用画像データを受け取り、このプリント用画像データに基づいて、ペーパーの乳剤面に画像を焼付露光する。露光エンジン１０２ａとしては、特定の方式のものに限定されるものではなく、例えば、レーザーエンジン、ＣＲＴエンジン、ＰＬＺＴエンジンなどを用いることができる。
【００７７】
裏印字手段１０２ｂは、ペーパーの裏面に、「オーダ識別ＩＤ、コマナンバー、プリント処理済枚数、プリント要求枚数、補正テータ等をプリントする機能を有する。裏印字手段１０２ｂは、例えば、ドットインパクトプリンタ、熱転写式プリンタ、インクジェットプリンタ等で実現される。
【００７８】
現像処理部１０３は、画像が焼付露光されたペーパーの現像処理を行い、乾燥処理部１０４は、現像処理されたペーパーの乾燥処理を行なう。ペーパー排出部から仕上がりの写真プリントが装置本体外部に排出され、所定の集積装置（不図示）により「オーダ単位で集積される。
【００７９】
ペーパーセンサー１０６は、ペーパー排出部から排出されるペーパーを検出し、ある「オーダの写真プリントが全て排出されたか否かを検出する。センサ制御部（不図示）は、ペーパーセンサー１０６の駆動制御を行なうと共に、ペーパーセンサー１０６からの信号を受信して解析する。
【００８０】
（実施形態１）
現像処理とスキャン処理を連続して処理し、スキャン処理で読み取られた画像データをプリント作成装置ＰＡに送信し、個々のコマ画像データの画像判定を行わずに、そのまま、或いは所定の画像処理を施すのみで、画像データに基づく露光処理・現像処理を行い写真プリント作成する自動同時プリント処理の場合について以下に図面を用いて説明する。この自動同時プリント処理においては、フィルム処理装置ＦＡは予約モード処理が実行される。
【００８１】
まず、プリント作成装置ＰＡの操作画面がモニター７に表示される。図７に示すように、「オーダ予約画面が表示される。フィルムプロセッサーＦＰに未現像写真フィルムがセットされていない場合、オーダ予約画面の上部に「フィルムをセットしてください」の表示がなされる。これは、状態検出手段１７ｆの検出結果に基づいてなされた状態表示手段２００ａの機能による。また、この表示は、フィルムのローディングが完了して、次のフィルムローディングが可能な状態の場合でも同様の表示がなされる。かかる場合、状態検出手段１７ｆは、ローディングセンサー１１ｃのフィルム後端部検出に基づいて判断がなされる。
【００８２】
また、画面下部には、オーダ情報の一覧が表示される。「オーダＩＤ」は、フィルムの先端部分に貼り付けられるオーダ識別ラベルと同じ情報が表示される。「オーダ状態」は、状態検出手段１７ｆで検出された、フィルム処理装置ＦＡ内でのフィルムの処理の状態を表示する。これは、状態表示手段２００ａの機能による。
【００８３】
また、オーダの処理モードが表示される。ここでは全て予約モードで処理されるので、「予約モード」が表示される。
【００８４】
また、オーダ情報一覧には、フィルム位置が表示される。これは、フィルム位置算出手段１７ｇが算出したフィルム先端の位置情報に基づいてなされたフィルム位置表示手段２００ｂの機能による。フィルム先端の位置が「→」で示される。例えば、「オーダＩＤ「００１」のフィルムの先端は、「Ｄ」部分に表示されているが、これは乾燥処理中であることを示す。「オーダＩＤ「００２」のフィルムの先端は、「Ｓ３」部分に表示されているが、これは第３段階目の安定槽処理中であることを示す。「オーダＩＤ「００５」のフィルムの先端は、「Ｆ２」部分に表示されているが、これは、第２段階目の定着槽処理中であることを示す。「オーダＩＤ「００６」のフィルムの先端は、「Ｂ」部分に表示されているが、漂白槽処理中であることを示す。「Ｃ」は、現像液処理部分であることを示す。なお、フィルム先端位置の表示として「→」の図形を用いたがこれに限定されない。各処理段階の表示において、「→」の表示色を変更してもよい。
【００８５】
フィルムプロセッサーＦＰ内での処理は、約１０〜１２分程度必要であり、フィルムスキャナーＦＳに搬送されるまでに、十分な時間がある場合、オペレータは、別の現像済み写真フィルムのスキャン処理を実行できる。かかる場合に、オペレータは、プリント作成装置ＰＡのモニター７の操作画面（ここでは予約モード画面）を確認して、別の現像済み写真フィルムのスキャン処理を実行できるか否かを判断できる。別の現像済み写真フィルムのスキャン処理を実行させた場合に、操作画面上のスキャン処置割り込み指示ボタン（不図示）を選択することで、予約モードの状態で、フィルムスキャナーＦＳのみを独立でスキャン処理動作可能に制御できる。
【００８６】
（実施形態２）
図８は、エラー表示の一例を示す図である。フィルムプロセッサーＦＰでエラーが発生した場合、状態検出手段１７ｆは、エラー発生を検出し、プリント作成装置ＰＡにエラー発生信号を送信する。このエラー発生信号の受信により、状態表示手段２００ａは、「オーダ予約画面を閉じて、エラー／お知らせ画面を表示させる。そして、エラー内容を示し、フィルム処理装置ＦＡの概略図と共にエラー箇所についての説明図を示す。さらに、エラー通知する場合は、警報音も同時に行うように構成してもよい。警報音を停止させる場合、オペレータは画面下部の警報音停止ボタンを押下するように構成される。
【００８７】
上記のようなフィルムプロセッサーＦＰでのエラー発生の場合、写真フィルムは、フィルムストッカー１８に排出される。すなわち、自動搬送されてスキャン処理は行われない。ストッカー１８に排出された場合、「オーダ状態は、「ストッカー排出」と表示される。ストッカー１８に排出されたフィルムには、識別ラベルが貼られているので、「オーダ情報との照合が簡単に行える。識別ラベルの情報は、例えば、「オーダＩＤの情報と同じものである。
【００８８】
（実施形態３）
図９は、フィルム処理装置ＦＡにおけるフィルムの移動経路の概略図の一例を示す図である。フィルム位置は、移動経路上の○印で示される。この○印には、「オーダＩＤが共に示される。また、フィルム種類に応じて、○印の表示色を変えている。ここで、フィルム先頭位置の表示は○印に限定されない。フィルム種類に応じて図形を変えてもよい。オーダＩＤの文字フォントをフィルムの種類に対応して変更してもよい。オーダＩＤ「０１５」のフィルムが現在ローディング中であり、画面に、「ローディング中  フィルムセットできません」が表示される。これは、状態表示手段２００ａの機能による。
【００８９】
また、フィルムの移動経路として、フィルムプロセッサＦＰ、搬送ユニットＦＣ、フィルムスキャナーＦＳ、フィルムストッカー１８部分を全て表示できるように構成されている。これは、フィルム位置表示手段２００ｂの機能による。
【００９０】
（実施形態４）
図１０は、写真フィルムが現位置からフィルムスキャナーＦＳに搬送されるまでの搬送時間を示す図である。図１０に示すように、写真フィルムの位置を表示する場合に、写真フィルムが現位置からフィルムスキャナーＦＳに搬送されるまでの搬送時間も表示される。搬送時間の算出は、搬送時間算出手段２００ｄの機能による。さらに、算出された搬送時間が所定値以上（例えば、搬送時間が８分以上）である場合に、別の現像済み写真フィルムをスキャン処理可能である旨が表示される。図１０に示すように、「オーダ予約モード画面に、「別のフィルムをスキャン処理できます」の文字が表示される。フィルム位置表示手段２００ｂの機能による。フィルム位置表示部分の「Ｒ」は、ローディング中を意味する。
【００９１】
そして、オペレータがスキャン実行１００１ボタンをクリックすると、予約モードのまま、スキャン処理できるようにフィルムスキャナーＦＳが制御される。
【００９２】
以上によれば、予約モード処理中に、別の現像済み写真フィルムのスキャン処理を実行できるか否かの判断を行えるので、オペレータが、進行中のフィルム位置から判断する作業を軽減できる。
【図面の簡単な説明】
【００９３】
【図１】フィルム処理装置を有するプリント処理システム全体の外観構成を示す図
【図２】フィルム処理装置の全体構成を示す断面図
【図３】写真フィルムとフィルムリーダを連結した状態を示す図
【図４】搬送ユニットの構成を示す断面図
【図５】フィルム処理装置の制御機能を示すブロック図
【図６】プリント処理システムの制御機能を示すブロック図
【図７】実施形態１の操作画面の一例を示す図
【図８】実施形態２の操作画面の一例を示す図
【図９】実施形態３の操作画面の一例を示す図
【図１０】実施形態４の操作画面の一例を示す図
【符号の説明】
【００９４】
１        プリント処理システム
１１ｃ    ローディングセンサー
１１ｄ    カートリッジ検出センサ
１７      制御ユニット
１７ａ    フィルム端部検出部
１７ｆ    状態検出手段
１７ｇ    フィルム位置算出手段
２５      スキャナー制御部
７０      搬送制御部
２００    制御手段
２００ａ  状態表示手段
２００ｂ  フィルム位置表示手段
２００ｃ  判断手段
２００ｄ  搬送時間算出手段
Ｆ        写真フィルム
ＦＰ      フィルムプロセッサ
ＦＡ      フィルム処理装置
ＦＣ      搬送ユニット
ＦＳ      フィルムスキャナー
Ｃ        チャッカー
Ｌ        フィルムリーダ
【図１】
2007199625.tif 000003
【図２】
2007199625.tif 000004
【図３】
2007199625.tif 000005
【図４】
2007199625.tif 000006
【図５】
2007199625.tif 000007
【図６】
2007199625.tif 000008
【図７】
2007199625.tif 000009
【図８】
2007199625.tif 000010
【図９】
2007199625.tif 000011
【図１０】
2007199625.tif 000012